(57)【要約】【課題】小動物や乳幼児の情緒を慰撫し、犬や猫が長時間鳴き続けたり、乳幼児が泣き続けたりして騒音を発生し、近所迷惑とならないようにすることができる、人または動物の情緒の音声制御式慰撫装置の提供。【解決手段】本考案の人または動物の情緒の音声制御式慰撫装置は、上殻体、下殻体を組み立てて成る箱体を設け、前記箱体内に回路板、音声検知器、スピーカ、電源スイッチ及び電池を設置し、前記回路板上の制御回路が前記音声検知器、電源スイッチ及びスピーカに電気的に接続され、前記制御回路が慰撫する語句または音楽を予め録音することができ、前記箱体を動物の体またはその周辺に配置し、前記音声検知器が動物の声を検知すると、前記制御回路が予め録音された慰撫する語句または音楽を再生し、ペットや乳幼児の情緒を慰撫する。【選択図】図１
0003138917.tif 000002
【実用新案登録請求の範囲】
【請求項１】
上殻体、下殻体を組み立てて成る箱体を設け、前記箱体内に回路板、音声検知器、スピーカ、電源スイッチ及び電池を設置し、前記回路板上の制御回路が前記音声検知器、電源スイッチ及びスピーカに電気的に接続され、前記制御回路が音声制御作動回路、音声録音再生IC及び音声増幅回路から構成され、予め慰撫する語句または音楽を録音することができ、前記箱体を動物の体やその周辺に配置し、前記音声検知器が人または動物の声を検知すると、前記制御回路が予め録音された慰撫する語句または音楽を再生する回路構成から成ることを特徴とする、人または動物の情緒の音声制御式慰撫装置。      
【請求項２】
前記スピーカが防水スピーカである構成としたことを特徴とする、請求項１に記載の人または動物の情緒の音声制御式慰撫装置。
【請求項３】
前記制御回路にLED音声再生表示ランプを設けた構成としたことを特徴とする、請求項１に記載の人または動物の情緒の音声制御式慰撫装置。       
【請求項４】
前記制御回路の音声録音再生ICに録音用マイクロフォン及び録音ボタンを設けた構成としたことを特徴とする、請求項１に記載の人または動物の情緒の音声制御式慰撫装置。
【請求項５】
前記音声検知器がマイクロフォン部材である構成としたことを特徴とする、請求項１に記載の人または動物の情緒の音声制御式慰撫装置。       
【請求項６】
前記上殻体の左右両側にそれぞれ結合部を設け、前記結合部が外側に向かって延伸されたコの字形の枠体であり、両側の前記結合部にベルトを穿通することができる構成としたことを特徴とする、請求項１に記載の人または動物の情緒の音声制御式慰撫装置。
【考案の詳細な説明】
【技術分野】
【０００１】
本考案は人または動物の情緒の音声制御式慰撫装置に関し、犬、猫、類似の動物等のペットや乳児を慰撫して情緒を安定させ、鳴いたり騒いだりして近所迷惑とならないようにする、人または動物の情緒の音声制御式慰撫装置に関する。
【背景技術】
【０００２】
現代社会の結婚適齢期の人々は晩婚や独身を選択する人が多くなり、これらの晩婚や独身を選択する人々は、寂しさを紛らわすために犬や猫等の小動物を飼育することがよくあり、これらの小動物はかわいらしく安らぎを与えてくれるものの、動物にはそれぞれ特定の情緒反応があり、例えば犬を例に挙げると、犬が飼い主と一緒にいるときは、飼い主の声を聞いたり、飼い主の姿を目にしたりすることができるため、犬の情緒が興奮状態となったり、不安定になったりして吠えたてるようなことがあっても、飼い主が適時に声で制止したり、犬をなだめたりして犬に吠えるのをやめさせ、近所迷惑とならないようにすることができる。しかしながら、飼い主が外出して家にいないときや就寝してしまったときに、犬が吠え立ててやめない場合、近所迷惑となってしまう。
【０００３】
乳児や幼児を例に挙げると、用事があって保護者が視界を離れたときに、乳児や幼児の情緒が不安定で泣き始めた場合、聞きなれたあやし声で情緒を慰撫することができないため、泣いている乳幼児の情緒を慰撫する必要があるとき、聞きなれた声を発して慰撫することができれば、乳児や幼児がより安定した気持ちを維持でき、緊張や不安を感じないようにすることができる。
【０００４】
このため、本考案は動物や乳児の情緒を効果的に慰撫する人または動物の情緒の音声制御式慰撫装置を提供し、これを使用することで家庭内の小動物や乳幼児の情緒を随時安定させることができるようにすることが本考案の動機である。
【考案の開示】
【考案が解決しようとする課題】
【０００５】
本考案の主な目的は、小動物の情緒を慰撫し、犬や猫が長時間鳴き続けて騒音を発生し、近所迷惑とならないようにすることができる、人または動物の情緒の音声制御式慰撫装置を提供することにある。
【０００６】
本考案の別の主な目的は、保護者が短時間乳幼児から離れるときに自動的にその情緒を制御し、情緒不安定で泣き続けることがないようにすることができる、人または動物の情緒の音声制御式慰撫装置を提供することにある。          
【課題を解決するための手段】
【０００７】
上述の目的を達するため、本考案は主に、上殻体、下殻体を組み立てて成る箱体を設け、前記箱体内に回路板、音声検知器、スピーカ、電源スイッチ及び電池を設置し、前記回路板上の制御回路が、音声制御作動回路、音声録音再生IC、LED音声再生表示ランプ及び音声増幅回路を含み、且つ、前記制御回路が音声検知器、電源スイッチ及びスピーカに電気的に接続され、前記制御回路の音声録音再生ICが慰撫する語句または音楽を予め録音することができ、前記箱体を動物の体に装着したり、周辺に置いたりすることにより、音声検知器が動物の声を検知すると、前記制御回路が予め録音された慰撫する語句または音楽を再生し、ペット或いは乳幼児の情緒を慰撫する。
【考案の効果】
【０００８】
本考案の構造には次のような実用的利点がある。
１、  
音声録音再生ICにより飼い主または親のあやし声や音楽を録音することで、ペットが鳴いたり乳児が泣いたりすると、前記音声検知器がその声を検知して予め録音されたあやし声や音楽を再生し、効果的にペットや乳児の情緒を慰撫することができる。
２、  
前記上殻体及び下殻体の接合箇所に防水カバーを組み合わせることで、液体が箱体内に進入し、内部の電子部材を破壊するのを防ぐことができる。
３、  
前記上殻体及び下殻体を結合して成る外殼は、犬小屋やベビーベッド、子供用ベッドの周辺に便利に設置できるよう、比較的大型の箱体として設けることができる。
【考案を実施するための最良の形態】
【０００９】
本考案のその他特徴及び具体的な実施例について、以下図面に基づき詳細に説明する。
【００１０】
図１、図２に示すように、本考案の音声制御式慰撫装置１０は主に上殻体１１と下殻体１２を閉じ合わせ結合させて成る中空の箱体を設け、前記上殻体１１は図中の左右両側にそれぞれ結合部１１１が設置され、前記結合部１１１は外側に向かって延伸されたコの字形の枠体を呈し、且つ、前記上殻体１１上に表示ランプ孔が設けられ、前記下殻体１２には複数のネジ孔１２２と、スイッチ孔１２３及び電池孔１２４がそれぞれ開設され、前記電池孔１２４には電池蓋１２１が設置される。前記箱体内には回路板１４が設置され、回路板上に電源スイッチ１５、音声検知器１６及び音声を出力することができるスピーカ１７が設けられる。そのうち、前記回路板１４上に完全な制御回路が設けられ、前記制御回路は上述の電源スイッチ１５、音声検知器１６及びスピーカ１７に電気的に接続される。前記スピーカ１７は防水スピーカとし、同時に前記下殻体１２には防水カバー１８が設置され、この防水カバー１８を下殻体上に被せて設置することで雨水が上殻体１１、下殻体１２のとじ合わせた隙間から進入して内部の電子部材を破損することがないよう防止することができる。
【００１１】
そのうち、前記上殻体及び下殻体を結合して成る箱体の外殼は、犬小屋の周辺やベビーベッド、子供用ベッドの周辺に便利に設置することができるよう、比較的大きな箱体として設けることができる。
【００１２】
前記音声検知器１６は外界の音声信号を検知し、対応して検知信号を生成するものとし、本実施例において音声検知器はマイクロフォン部材として設けることができる。
【００１３】
図３に示すように、前記回路板１４上には制御回路が設けられ、前記制御回路は音声制御作動回路１４１、音声録音再生IC１４２、LED音声再生表示ランプ１４４及び音声増幅回路１４３を含み、前記音声録音再生IC１４２はさらに録音マイクロフォン１４６及び録音ボタン１４５が接続され、且つ、前記制御回路は音声検知器１６、スピーカ１７及び電源スイッチ１５と電気的に接続され、前記制御回路が１つの完全な電子回路として形成される。
【００１４】
前記電池蓋１２１を開いて電池１３を入れた後、再度電池蓋１２１を閉じ、電源スイッチ１５をオンにすると、前記制御回路の動作を開始させることができ、且つ、使用者は前記LED音声再生表示ランプ１４４の点灯により電子回路が完全に動作しているかどうかを知ることができる。このとき、使用者は録音ボタン１４５を押すと、録音マイクロフォン１４６を介して動物や乳幼児に聞かせたいあやし声や音楽を予め録音することができ、さらに防水カバー１８を箱体の背面側から被せて下殻体１２を完全に被覆すると、水気が下殻体の各隙間から回路板に進入するのを防ぐことができる。
【００１５】
使用時は、図４に示すように、前記慰撫装置１０を犬小屋付近に固定して設置し、犬が吠えると前記音声検知器１６が音声信号を検知し、前記音声制御作動回路１４１が音声録音再生IC１４２を駆動して、音声増幅回路１４３を介し予め録音された語句や音楽をスピーカ１７から再生し、飼い主の慰撫する声で犬が吠えるのを制止し、同時に犬の情緒を安定させることができる。このため、飼い主が犬のそばにいなくとも、近所迷惑となる犬の鳴き声の発生を防止することができる。
【００１６】
また、図５に示すように、活発で行動を制限せず庭で遊ばせておく犬には、両側の結合部１１１にベルト１９を穿通して結合し、前記音声制御式慰撫装置１０を首輪に結合させた製品とし、前記ベルト１９で音声制御式慰撫装置１０を犬の首の上に設置し、前記音声制御式慰撫装置１０が隨時犬の首に装着された状態とすることで、犬がどこにいても、吠え始めたら前記音声制御式慰撫装置１０の音声検知器１６がその声を検知し、予め録音された語句や音楽をスピーカ１７から再生し、飼い主の声でペットの情緒を慰撫してペットの鳴き声が近所迷惑とならないようにすることができる。また、前記音声制御式慰撫装置１０の背面側に防水カバー１８が設置されているため、犬が雨にぬれたり、水遊びをしたり、水を飲んだりするときに液体が箱体内に進入して内部の電子部材を破損させることがなく、さらに正面の音が出る孔の箇所を防水スピーカとすれば雨にぬれても問題を生じることがない。
【００１７】
同時に、本考案はまた乳児の慰撫にも用いることができ、母親は録音ボタン１４５及びマイクロフォン１４６で乳児が聞きなれた母親の慰撫する語句や子守唄の音楽を予め録音し、前記音声制御式慰撫装置１０をベビーベッドの上に置いたり、ベルト１９（リストバンドや腕時計ベルとなどとしてもよい）で乳児のベッド付近や手の上に結合させたりすることができ、乳児が泣き止まないときは、前記音声検知器１６がその泣き声を検知し、前記スピーカ１７が音声録音再生IC１４２内に録音された母親の声のあやし声や音楽を再生して、母親の声により乳児の情緒を慰撫し、乳児が長時間泣き続けるのを防止することができる。
【００１８】
上述をまとめると、本考案はその意図する目的を確実に達成することができ、この人または動物の情緒の音声制御式慰撫装置を提供することに実用的価値があることは疑いがなく、法に基づきここに実用新案登録を出願するものである。
【００１９】
以上で述べた説明は、本考案の最良の実施例を示したものであり、本考案の実施可能な範囲を制限するものではなく、関連技術を知る人物であれば変化や修飾を施すことは可能であり、それらはすべて本考案の実質的内容を逸脱しないものと見なす。
【図面の簡単な説明】
【００２０】
【図１】本考案の実施例の立体分解図である。
【図２】本考案の実施例の背面側の立体外観図である。
【図３】本考案の実施例の制御回路のブロック図である。
【図４】本考案の実施例の前面側の立体外観図である。
【図５】本考案の実施例の使用例を示す立体図である。
【符号の説明】
【００２１】
１０        音声制御式慰撫装置
１１        上殻体
１２        下殻体
１３        電池
１４        回路板
１５        電源スイッチ
１６        音声検知器
１７        スピーカ
１８        防水カバー
１９        ベルト
１１１      結合部
１２１      電池蓋
１２２      ネジ孔
１２３      スイッチ孔
１２４      電池孔
１４１      音声制御作動回路
１４２      音声録音再生IC
１４３      音声増幅回路
１４４      LED音声再生表示ランプ
１４５      録音ボタン
１４６      録音マイクロフォン
２０        犬
【図１】
0003138917.tif 000003
【図２】
0003138917.tif 000004
【図３】
0003138917.tif 000005
【図４】
0003138917.tif 000006
【図５】
0003138917.tif 000007